(57)【要約】【課題】体の末梢部で血圧測定をする場合、外気温度に影響して血流が変化するため血圧値も外気温度により影響してしまい、従来の末梢部に常時装着する血圧測定装置で収集した血圧値は信頼性が低いという課題があった。本願発明は、従来例における上記の課題を解決するため、常時血圧測定ができるとともに、信頼性の有無を判断できる血圧値を収集できる血圧測定装置、血圧測定方法及び血圧測定プログラムを提供することを目的とする。【解決手段】本願発明に係る血圧測定装置は、血圧計と外気温度計又は皮膚温度計を備え、血圧測定をするとともに血圧測定時の外気温度又は皮膚温度も測定し、測定した血圧値と外気温度又は皮膚温度を対応付けて記憶することとした。【選択図】図９
2007014572.tif 000002
【特許請求の範囲】
【請求項１】
外耳の一部で血圧値を測定する血圧計と、
前記血圧計が血圧測定する際に外気温度を測定する外気温度計と、
前記血圧計が測定する血圧値と前記外気温度計が測定する外気温度とを対応付けて記憶する記憶手段と、
前記血圧計と前記外気温度計とを外耳の一部に装着する装着部と、
を備える血圧測定装置。
【請求項２】
所定時間間隔毎に前記血圧計に血圧値の測定及び前記外気温度計に外気温度の測定を指示するクロック生成機構をさらに備えることを特徴とする請求項１に記載の血圧測定装置。
【請求項３】
前記外気温度と予め設定した許容温度範囲とを比較演算する演算回路と、
前記外気温度が前記許容温度範囲外の場合に前記外気温度が前記許容温度範囲外であることを文字及び／若しくは記号で表示する、並びに／又は音声及び／若しくは音で通知する通知部と、
をさらに備えることを特徴とする請求項１又は２に記載の血圧測定装置。
【請求項４】
前記外気温度と予め設定した許容温度範囲とを比較演算する演算回路と、
前記外気温度が前記許容温度範囲内の場合に血圧値の測定を前記血圧計に指示し、前記外気温度と前記血圧値の記憶を前記記憶手段に指示する判断部と、
をさらに備えることを特徴とする請求項１又は２に記載の血圧測定装置。
【請求項５】
外耳の一部で血圧値を測定する血圧計と、
前記血圧計が血圧測定する際に外耳又はその周辺の皮膚温度を測定する皮膚温度計と、
前記血圧計が測定する血圧値と前記皮膚温度計が測定する皮膚温度とを対応付けて記憶する記憶手段と、
前記血圧計と前記皮膚温度計とを外耳の一部に装着する装着部と、
を備える血圧測定装置。
【請求項６】
所定時間間隔毎に前記血圧計に血圧値の測定及び前記皮膚温度計に皮膚温度の測定を指示するクロック生成機構をさらに備えることを特徴とする請求項５に記載の血圧測定装置。
【請求項７】
前記皮膚温度と予め設定した許容温度範囲とを比較演算する演算回路と、
前記皮膚温度が前記許容温度範囲外の場合に前記皮膚温度が前記許容温度範囲外であることを文字及び／若しくは記号で表示する、並びに／又は音声及び／若しくは音で通知する通知部と、
をさらに備えることを特徴とする請求項５又は６に記載の血圧測定装置。
【請求項８】
前記皮膚温度と予め設定した許容温度範囲とを比較演算する演算回路と、
前記皮膚温度が前記許容温度範囲内の場合に血圧値の測定を前記血圧計に指示し、前記皮膚温度と前記血圧値の記憶を前記記憶手段に指示する判断部と、
をさらに備えることを特徴とする請求項５又は６に記載の血圧測定装置。
【請求項９】
外耳の一部において血圧計が血圧値を測定する血圧測定手順と、
外耳の一部において外気温度計が外気温度を測定する外気温度測定手順と、
前記外気温度測定手順後に、前記外気温度測定手順で測定した外気温度と予め設定した許容温度範囲とを演算回路が比較演算する比較演算手順と、
前記比較演算手順後、前記外気温度が前記許容温度範囲外の場合に前記外気温度が前記許容温度範囲外であることを通知部が文字及び／若しくは記号で表示し、並びに／又は音声及び／若しくは音で通知する通知手順と、
前記血圧測定手順で測定した血圧値と前記外気温度測定手順で測定した外気温度とを対応付けて記憶手段が記憶する記憶手順と、
を有する血圧測定方法。
【請求項１０】
外耳の一部において外気温度計が外気温度を測定する外気温度測定手順と、
前記外気温度測定手順後に、前記外気温度測定手順で測定した外気温度と予め設定した許容温度範囲とを演算回路が比較演算する比較演算手順と、
前記比較演算手順後、前記外気温度が前記許容温度範囲内の場合に、外耳の一部において血圧計が血圧値を測定する血圧測定手順と、
前記血圧測定手順で測定した血圧値と前記外気温度測定手順で測定した外気温度とを対応付けて記憶手段が記憶する記憶手順と、
前記比較演算手順後、前記外気温度が前記許容温度範囲外の場合に、前記演算回路が前記血圧計に対し血圧値の測定の中止を指示、又は前記記憶手段に対し前記外気温度と前記血圧値の記憶の中止を指示する中止手順と、
を有する血圧測定方法。
【請求項１１】
外耳の一部において血圧計が血圧値を測定する血圧測定手順と、
皮膚温度計が外耳又はその周辺の皮膚温度を測定する皮膚温度測定手順と、
前記皮膚温度測定手順後に、前記皮膚温度測定手順で測定した皮膚温度と予め設定した許容温度範囲とを演算回路が比較演算する比較演算手順と、
前記比較演算手順後、前記皮膚温度が前記許容温度範囲外の場合に前記皮膚温度が前記許容温度範囲外であることを通知部が文字及び／若しくは記号で表示し、並びに／又は音声及び／若しくは音で通知する通知手順と、
前記血圧測定手順で測定した血圧値と前記皮膚温度測定手順で測定した皮膚温度とを対応付けて記憶手段が記憶する記憶手順と、
を有する血圧測定方法。
【請求項１２】
皮膚温度計が外耳又はその周辺の皮膚温度を測定する皮膚温度測定手順と、
前記皮膚温度測定手順後に、前記皮膚温度測定手順で測定した皮膚温度と予め設定した許容温度範囲とを演算回路が比較演算する比較演算手順と、
前記比較演算手順後、前記皮膚温度が前記許容温度範囲内の場合に、外耳の一部において血圧計が血圧値を測定する血圧測定手順と、
前記血圧測定手順で測定した血圧値と前記皮膚温度測定手順で測定した皮膚温度とを対応付けて記憶手段が記憶する記憶手順と、
前記比較演算手順後、前記皮膚温度が前記許容温度範囲外の場合に、前記演算回路が前記血圧計に対し血圧値の測定の中止を指示、又は前記記憶手段に対し前記皮膚温度と前記血圧値の記憶の中止を指示する中止手順と、
を有する血圧測定方法。
【請求項１３】
血圧計に対し外耳の一部における血圧値の測定を指示する血圧測定ステップと、
外気温度計に対し外耳の一部における外気温度の測定を指示する外気温度測定ステップと、
前記外気温度測定ステップ後に、前記外気温度測定ステップで測定した外気温度と予め設定した許容温度範囲とを演算回路に比較演算させる比較演算ステップと、
前記比較演算ステップ後、前記外気温度が前記許容温度範囲外の場合に前記外気温度が前記許容温度範囲外であることを通知部に文字及び／若しくは記号で表示させ、並びに／又は音声及び／若しくは音で通知させる通知ステップと、
前記血圧測定ステップで測定した血圧値と前記外気温度測定ステップで測定した外気温度とを対応付けて記憶手段に記憶させる記憶ステップと、
を有する血圧測定プログラム。
【請求項１４】
外気温度計に対し外耳の一部における外気温度の測定を指示する外気温度測定ステップと、
前記外気温度測定ステップ後に、前記外気温度測定ステップで測定した外気温度と予め設定した許容温度範囲とを演算回路に比較演算させる比較演算ステップと、
前記比較演算ステップ後、前記外気温度が前記許容温度範囲内の場合に、血圧計に対し外耳の一部における血圧値の測定を指示する血圧測定ステップと、
前記血圧測定ステップで測定した血圧値と前記外気温度測定ステップで測定した外気温度とを対応付けて記憶手段に記憶させる記憶ステップと、
前記比較演算ステップ後、前記外気温度が前記許容温度範囲外の場合に、前記血圧計に対し血圧値の測定の中止を指示、又は前記記憶手段に対し前記外気温度と前記血圧値の記憶の中止を指示する中止ステップと、
を有する血圧測定プログラム。
【請求項１５】
血圧計に対し外耳の一部における血圧値の測定を指示する血圧測定ステップと、
皮膚温度計に対し外耳又はその周辺の皮膚温度の測定を指示する皮膚温度測定ステップと、
前記皮膚温度測定ステップ後に、前記皮膚温度測定ステップで測定した皮膚温度と予め設定した許容温度範囲とを演算回路に比較演算させる比較演算ステップと、
前記比較演算ステップ後、前記皮膚温度が前記許容温度範囲外の場合に前記皮膚温度が前記許容温度範囲外であることを通知部に文字及び／若しくは記号で表示させ、並びに／又は音声及び／若しくは音で通知させる通知ステップと、
前記血圧測定ステップで測定した血圧値と前記皮膚温度測定ステップで測定した皮膚温度とを対応付けて記憶手段に記憶させる記憶ステップと、
を有する血圧測定プログラム。
【請求項１６】
皮膚温度計に対し外耳又はその周辺における皮膚温度の測定を指示する皮膚温度測定ステップと、
前記皮膚温度測定ステップ後に、前記皮膚温度測定ステップで測定した皮膚温度と予め設定した許容温度範囲とを演算回路に比較演算させる比較演算ステップと、
前記比較演算ステップ後、前記皮膚温度が前記許容温度範囲内の場合に、血圧計に対し外耳の一部における血圧値の測定を指示する血圧測定ステップと、
前記血圧測定ステップで測定した血圧値と前記皮膚温度測定ステップで測定した皮膚温度とを対応付けて記憶手段に記憶させる記憶ステップと、
前記比較演算ステップ後、前記皮膚温度が前記許容温度範囲外の場合に、前記血圧計に対し血圧値の測定の中止を指示、又は前記記憶手段に対し前記皮膚温度と前記血圧値の記憶の中止を指示する中止ステップと、
を有する血圧測定プログラム。
【発明の詳細な説明】
【技術分野】
【０００１】
本発明は、装着が容易な外耳の一部で血圧値を検出する血圧測定装置、血圧測定方法及び血圧測定プログラムに関するものである。
【背景技術】
【０００２】
近年、生活習慣に深く関連する生活習慣病と呼ばれる健康障害や、高齢者の健康維持への関心が高まり、各種の診断法および予防対策が検討されている。特に、日常生活における血圧、体温、脈拍などの生体情報を連続的に測定することは、健康維持上重要なデータとなることが認識され、生体情報を常時測定する方法が開発されている（例えば、特許文献１参照。）。特許文献１に記載されている血圧記録装置は血圧測定と同時に外気温度と皮膚温度の測定を行うものである。測定した血圧値、外気温度及び皮膚温度の関係から血圧値の変化の原因を判断することができるとしている。
【０００３】
なお、本願では、耳介の名称は非特許文献１に、耳介の軟骨の名称は非特許文献２による。
【特許文献１】特開平０３−２３１６２９公報
【非特許文献１】Ｓｏｂｏｔｔａ  図説人体解剖学第１巻（監訳者：岡本道雄）、ｐ．１２６、（株）医学書院、１９９６年１０月１日発行
【非特許文献２】Ｓｏｂｏｔｔａ  図説人体解剖学第１巻（監訳者：岡本道雄）、ｐ．１２７、（株）医学書院、１９９６年１０月１日発行
【発明の開示】
【発明が解決しようとする課題】
【０００４】
血圧測定を行う場合、一般的に血圧測定部位内の血流が停止する圧力で圧迫し、その後、血圧測定部位を圧迫する圧力を減少させる過程において血圧測定部位内の血管の脈動変化を計測し、血圧測定部位を圧迫する圧力と血管の脈動の変化から最高血圧及び最低血圧を測定している。特に、常時血圧測定する場合、通常、被検者が血圧測定をしやすいように被検者の体の末梢部に装着する血圧測定装置を使用することになる。
【０００５】
ところが、血液は体温調節の作用があり、外気温度の変化に伴い、体は血流を増減させ皮膚から発散する熱の量を調節する。例えば、外気温度が高くなると、末梢部の血管を拡張して血流を多くし、皮膚温度を高くして体の中の熱を放熱しようとする。一方、外気温度が低くなると、末梢部の血管を収縮して血流を少なくし、皮膚温度を下げるようにして体温を外気に奪われないようにしている。
【０００６】
従って、体の末梢部で血圧測定した場合、外気温度に影響して血流が変化するため血圧値も外気温度により影響してしまい、従来の末梢部に常時装着する血圧測定装置で収集した血圧値は信頼性が低いという課題があった。
【０００７】
そこで、本願発明は、従来例における上記の課題を解決するため、常時血圧測定ができるとともに、信頼性の有無を判断できる血圧値を収集できる血圧測定装置、血圧測定方法及び血圧測定プログラムを提供することを目的とする。
【課題を解決するための手段】
【０００８】
上記目的を達成するために、本願第一の発明に係る血圧測定装置は、血圧計及び外気温度計を備え、血圧測定をするとともに血圧測定時の外気温度も測定し、測定した血圧値と外気温度を対応付けて記憶することとした。
【０００９】
具体的には、本願第一の発明は、外耳の一部で血圧値を測定する血圧計と、前記血圧計が血圧測定する際に外気温度を測定する外気温度計と、前記血圧計が測定する血圧値と前記外気温度計が測定する外気温度とを対応付けて記憶する記憶手段と、前記血圧計と前記外気温度計とを外耳の一部に装着する装着部と、を備える血圧測定装置である。
【００１０】
前記血圧測定装置を外耳の一部に装着することで前記血圧計は常時血圧値を測定することができる。また、測定した血圧値と血圧測定時の外気温度を対応付けて前記記憶手段に記憶しているため、被検者は測定時の外気温度を参照し、測定した血圧値の信頼性の有無を判断することができる。
【００１１】
従って、本願第一の発明に係る血圧測定装置は、常時装着して血圧測定ができるとともに血圧測定時の外気温度を測定し、前記血圧値と対応付けて記憶することで、信頼性の有無を判断できる血圧値を収集することができる。
【００１２】
本願第一の発明に係る血圧測定装置は、所定時間間隔毎に前記血圧計に血圧値の測定及び前記外気温度計に外気温度の測定を指示するクロック生成機構をさらに備えてもよい。
【００１３】
手動で血圧測定の開始を指示する血圧計であると、常時装着できる血圧計であっても被検者が測定をすることを忘れる場合もあり、定期的に血圧値を収集できないこともある。クロック生成機構を備えたことにより、前記血圧測定装置は定期的に自動で血圧値と外気温度を測定することができ、血圧測定時の外気温度を関連付けた定期的な血圧値を収集することができる。
【００１４】
従って、本願第一の発明に係る血圧測定装置は、常時装着して血圧測定ができるとともに血圧測定時の外気温度を測定し、前記血圧値と対応付けて記憶することで、信頼性の有無を判断できる血圧値を定期的に収集することができる。
【００１５】
本願第一の発明に係る血圧測定装置は、前記外気温度と予め設定した許容温度範囲とを比較演算する演算回路と、前記外気温度が前記許容温度範囲外の場合に前記外気温度が前記許容温度範囲外であることを文字及び／若しくは記号で表示する、並びに／又は音声及び／若しくは音で通知する通知部と、をさらに備えてもよい。
【００１６】
信頼性のある血圧値が得られる外気温度の範囲を許容温度範囲として予め前記演算回路に設定しておき、測定した外気温度が前記許容温度範囲外の場合に、前記通知部が被検者に通知することで、被検者は前記血圧測定装置が外気温度により信頼性のある血圧値を測定できていないことを知ることができる。通知された被検者は外気温度が前記許容温度範囲内となる場所で再度血圧測定を行うことで、信頼性のある血圧値を収集することができる。
【００１７】
従って、本願第一の発明に係る血圧測定装置は、常時装着して血圧測定ができるとともに血圧測定時の外気温度を測定し、前記血圧値と対応付けて記憶し、前記外気温度が前記許容温度範囲外の場合に通知することで、信頼性のある血圧値をより多く収集することができる。
【００１８】
本願第一の発明に係る血圧測定装置は、前記外気温度と予め設定した許容温度範囲とを比較演算する演算回路と、前記外気温度が前記許容温度範囲内の場合に血圧値の測定を前記血圧計に指示し、前記外気温度と前記血圧値の記憶を前記記憶手段に指示する判断部と、をさらに備えてもよい。
【００１９】
信頼性のある血圧値が得られる外気温度の範囲を許容温度範囲として予め前記演算回路に設定しておき、測定した外気温度が前記許容温度範囲内の場合、前記判断部は血圧測定をすることを血圧計に指示し、前記外気温度と前記血圧値を関連して前記記憶手段に記憶させるように指示する。
【００２０】
従って、本願第一の発明に係る血圧測定装置は、前記血圧測定装置に前記判断部を備え、外気温度が前記許容温度範囲内の場合に血圧値を測定するため、記憶容量が有限である前記記憶手段により多くの信頼性のある血圧値をより多く収集することができる。
【００２１】
上記目的を達成するために、本願第二の発明に係る血圧測定装置は、血圧計及び皮膚温度計を備え、血圧測定するとともに血圧測定時の皮膚温度も測定し、測定した血圧値と皮膚温度を対応付けて記憶することとした。
【００２２】
具体的には、本願第二の発明は、外耳の一部で血圧値を測定する血圧計と、前記血圧計が血圧測定する際に外耳又はその周辺の皮膚温度を測定する皮膚温度計と、前記血圧計が測定する血圧値と前記皮膚温度計が測定する皮膚温度とを対応付けて記憶する記憶手段と、前記血圧計と前記皮膚温度計とを外耳の一部に装着する装着部と、を備える血圧測定装置である。
【００２３】
前記血圧測定装置を外耳の一部に装着することで前記血圧計は常時血圧値を測定することができる。また、測定した血圧値と血圧測定時の皮膚温度を対応付けて前記記憶手段に記憶しているため、被検者は測定時の皮膚温度を参照し、測定した血圧値の信頼性の有無を判断することができる。
【００２４】
従って、本願第二の発明に係る血圧測定装置は、常時装着して血圧測定ができるとともに血圧測定時の皮膚温度を測定し、前記血圧値と対応付けて記憶することで、信頼性の有無を判断できる血圧値を収集することができる。
【００２５】
本願第二の発明に係る血圧測定装置は、所定時間間隔毎に前記血圧計に血圧値の測定及び前記皮膚温度計に皮膚温度の測定を指示するクロック生成機構をさらに備えてもよい。
【００２６】
手動で血圧測定の開始を指示する血圧計であると、常時装着できる血圧計であっても被検者が測定をすることを忘れる場合もあり、定期的に血圧値を収集できないこともある。クロック生成機構を備えたことにより、前記血圧測定装置は定期的に自動で血圧値と皮膚温度を測定することができ、血圧測定時の皮膚温度を関連付けた定期的な血圧値を収集することができる。
【００２７】
従って、本願第二の発明に係る血圧測定装置は、常時装着して血圧測定ができるとともに血圧測定時の皮膚温度を測定し、前記血圧値と対応付けて記憶することで、信頼性の有無を判断できる血圧値を定期的に収集することができる。
【００２８】
本願第二の発明に係る血圧測定装置は、前記皮膚温度と予め設定した許容温度範囲とを比較演算する演算回路と、前記皮膚温度が前記許容温度範囲外の場合に前記皮膚温度が前記許容温度範囲外であることを文字及び／若しくは記号で表示する、並びに／又は音声及び／若しくは音で通知する通知部と、をさらに備えてもよい。
【００２９】
信頼性のある血圧値が得られる皮膚温度の範囲を許容温度範囲として予め前記演算回路に設定しておき、測定した皮膚温度が前記許容温度範囲外の場合に、前記通知部が被検者に通知することで、被検者は前記血圧測定装置が皮膚温度により信頼性のある血圧値を取得できていないことを知ることができる。通知された被検者は皮膚温度が前記許容温度範囲内となる場所で再度血圧測定を行うことで、信頼性のある血圧値を収集することができる。
【００３０】
従って、本願第二の発明に係る血圧測定装置は、常時装着して血圧測定ができるとともに血圧測定時の皮膚温度を測定し、前記血圧値と対応付けて記憶し、前記皮膚温度が前記許容温度範囲外の場合に通知することで、信頼性のある血圧値をより多く収集することができる。
【００３１】
本願第二の発明に係る血圧測定装置は、前記皮膚温度と予め設定した許容温度範囲とを比較演算する演算回路と、前記皮膚温度が前記許容温度範囲内の場合に血圧値の測定を前記血圧計に指示し、前記皮膚温度と前記血圧値の記憶を前記記憶手段に指示する判断部と、をさらに備えてもよい。
【００３２】
信頼性のある血圧値が得られる皮膚温度の範囲を許容温度範囲として予め前記演算回路に設定しておき、測定した皮膚温度が前記許容温度範囲内の場合、前記判断部は血圧測定をすることを血圧計に指示し、前記皮膚温度と前記血圧値を関連して前記記憶手段に記憶させるように指示する。
【００３３】
従って、本願第二の発明に係る血圧測定装置は、前記血圧測定装置に前記判断部を備え、皮膚温度が前記許容温度範囲内の場合に血圧値を測定するため、記憶容量が有限である前記記憶手段により多くの信頼性のある血圧値をより多く収集することができる。
【００３４】
上記目的を達成するために、本願第三の発明に係る血圧測定方法は、血圧測定するとともに血圧測定時の外気温度も測定し、測定した血圧値と外気温度を対応付けて記憶することとした。さらに、測定した外気温度が許容温度範囲外の場合に被検者に通知することとした。
【００３５】
具体的には、本願第三の発明は、外耳の一部において血圧計が血圧値を測定する血圧測定手順と、外耳の一部において外気温度計が外気温度を測定する外気温度測定手順と、前記外気温度測定手順後に、前記外気温度測定手順で測定した外気温度と予め設定した許容温度範囲とを演算回路が比較演算する比較演算手順と、前記比較演算手順後、前記外気温度が前記許容温度範囲外の場合に前記外気温度が前記許容温度範囲外であることを通知部が文字及び／若しくは記号で表示し、並びに／又は音声及び／若しくは音で通知する通知手順と、前記血圧測定手順で測定した血圧値と前記外気温度測定手順で測定した外気温度とを対応付けて記憶手段が記憶する記憶手順と、を有する血圧測定方法である。
【００３６】
前記血圧測定方法は外耳の一部で外気温度測定及び血圧測定をするため、前記外気温度計は常時外気温度を測定することができ、前記血圧計は常時血圧値を測定することができる。また、前記記憶手順は前記血圧値と前記外気温度を対応付けて記憶しているため、被検者は血圧値確認時に測定した血圧値の信頼性があるか否かの判断をすることができる。さらに、信頼性のある血圧値が得られる外気温度の範囲を許容温度範囲として予め前記演算回路に設定しておき、前記外気温度測定手順で測定した外気温度が前記許容温度範囲外の場合に、前記通知手順によって被検者に通知することで、被検者は信頼性のある血圧値を取得できていないことを知ることができる。通知された被検者は外気温度が前記許容温度範囲内となる場所で再度血圧測定を行うことで、信頼性のある血圧値を収集することができる。
【００３７】
従って、本願第三の発明に係る血圧測定方法は、常時血圧測定ができるとともに血圧測定時の外気温度を測定し、前記血圧値と対応付けて記憶し、前記外気温度が前記許容温度範囲外の場合に通知することで、信頼性のある血圧値をより多く収集することができる。
【００３８】
上記目的を達成するために、本願第四の発明に係る血圧測定方法は、血圧測定前に外気温度を測定し、測定した外気温度が許容温度範囲内の場合には血圧測定を行い、測定した外気温度が許容温度範囲外の場合には血圧測定の中止をするか又は血圧測定した血圧値を記憶しないこととした。
【００３９】
具体的には、本願第四の発明は、外耳の一部において外気温度計が外気温度を測定する外気温度測定手順と、前記外気温度測定手順後に、前記外気温度測定手順で測定した外気温度と予め設定した許容温度範囲とを演算回路が比較演算する比較演算手順と、前記比較演算手順後、前記外気温度が前記許容温度範囲内の場合に、外耳の一部において血圧計が血圧値を測定する血圧測定手順と、前記血圧測定手順で測定した血圧値と前記外気温度測定手順で測定した外気温度とを対応付けて記憶手段が記憶する記憶手順と、前記比較演算手順後、前記外気温度が前記許容温度範囲外の場合に、前記演算回路が前記血圧計に対し血圧値の測定の中止を指示、又は前記記憶手段に対し前記外気温度と前記血圧値の記憶の中止を指示する中止手順と、を有する血圧測定方法である。
【００４０】
前記血圧測定方法は外耳の一部で外気温度測定及び血圧測定をするため、前記外気温度計は常時外気温度を測定することができ、前記血圧計は常時血圧値を測定することができる。さらに、信頼性のある血圧値が得られる外気温度の範囲を許容温度範囲として予め前記演算回路に設定しておき、前記比較演算手順において前記演算回路は前記外気温度と前記許容温度範囲とを比較する。前記外気温度が前記許容温度範囲内の場合に、前記記憶手段は前記血圧測定手順で測定した血圧値と前記外気温度とを対応付けて記憶することとした。一方、前記外気温度が前記許容温度範囲外の場合に、前記演算回路は血圧測定の中止をするか又は血圧測定した血圧値を記憶しない指示を出すこととした。前記血圧測定方法は信頼性のない血圧値を排除することができ、より多くの信頼性のある血圧値を収集することができる。
【００４１】
従って、本願第四の発明に係る血圧測定方法は、外気温度を測定し、前記外気温度が前記許容温度範囲内の場合に血圧値を測定するため、記憶容量が有限である前記記憶手段により多くの信頼性のある血圧値をより多く収集することができる。
【００４２】
上記目的を達成するために、本願第五の発明に係る血圧測定方法は、血圧測定するとともに血圧測定時の皮膚温度も測定し、測定した血圧値と皮膚温度を対応付けて記憶することとした。さらに、測定した皮膚温度が許容温度範囲外の場合に被検者に通知することとした。
【００４３】
具体的には、本願第五の発明は、外耳の一部において血圧計が血圧値を測定する血圧測定手順と、皮膚温度計が外耳又はその周辺の皮膚温度を測定する皮膚温度測定手順と、前記皮膚温度測定手順後に、前記皮膚温度測定手順で測定した皮膚温度と予め設定した許容温度範囲とを演算回路が比較演算する比較演算手順と、前記比較演算手順後、前記皮膚温度が前記許容温度範囲外の場合に前記皮膚温度が前記許容温度範囲外であることを通知部が文字及び／若しくは記号で表示し、並びに／又は音声及び／若しくは音で通知する通知手順と、前記血圧測定手順で測定した血圧値と前記皮膚温度測定手順で測定した皮膚温度とを対応付けて記憶手段が記憶する記憶手順と、を有する血圧測定方法である。
【００４４】
前記血圧測定方法は外耳又はその周辺で皮膚温度測定及び外耳の一部で血圧測定をするため、前記皮膚温度計は常時皮膚温度を測定することができ、前記血圧計は常時血圧値を測定することができる。また、前記記憶手順は前記血圧値と前記皮膚温度を対応付けて記憶しているため、被検者は血圧値確認時に測定した血圧値の信頼性があるか否かの判断をすることができる。さらに、信頼性のある血圧値が得られる皮膚温度の範囲を許容温度範囲として予め前記演算回路に設定しておき、前記皮膚温度測定手順で測定した皮膚温度が前記許容温度範囲外の場合に、前記通知手順によって被検者に通知することで、被検者は信頼性のある血圧値を取得できていないことを知ることができる。通知された被検者は皮膚温度が前記許容温度範囲内となる場所で再度血圧測定を行うことで、信頼性のある血圧値を収集することができる。
【００４５】
従って、本願第五の発明に係る血圧測定方法は、常時血圧測定ができるとともに血圧測定時の皮膚温度を測定し、前記血圧値と対応付けて記憶し、前記皮膚温度が前記許容温度範囲外の場合に通知することで、信頼性のある血圧値をより多く収集することができる。
【００４６】
上記目的を達成するために、本願第六の発明に係る血圧測定方法は、血圧測定前に皮膚温度を測定し、測定した皮膚温度が許容温度範囲内の場合には血圧測定を行い、測定した皮膚温度が許容温度温度範囲外の場合には血圧測定の中止をするか又は血圧測定した血圧値を記憶しないこととした。
【００４７】
具体的には、本願第六の発明は、皮膚温度計が外耳又はその周辺の皮膚温度を測定する皮膚温度測定手順と、前記皮膚温度測定手順後に、前記皮膚温度測定手順で測定した皮膚温度と予め設定した許容温度範囲とを演算回路が比較演算する比較演算手順と、前記比較演算手順後、前記皮膚温度が前記許容温度範囲内の場合に、外耳の一部において血圧計が血圧値を測定する血圧測定手順と、前記血圧測定手順で測定した血圧値と前記皮膚温度測定手順で測定した皮膚温度とを対応付けて記憶手段が記憶する記憶手順と、前記比較演算手順後、前記皮膚温度が前記許容温度範囲外の場合に、前記演算回路が前記血圧計に対し血圧値の測定の中止を指示、又は前記記憶手段に対し前記皮膚温度と前記血圧値の記憶の中止を指示する中止手順と、を有する血圧測定方法である。
【００４８】
前記血圧測定方法は外耳又はその周辺で皮膚温度測定及び外耳の一部で血圧測定をするため、前記皮膚温度計は常時皮膚温度を測定することができ、前記血圧計は常時血圧値を測定することができる。さらに、信頼性のある血圧値が得られる皮膚温度の範囲を許容温度範囲として予め前記演算回路に設定しておき、前記比較演算手順において前記演算回路は前記皮膚温度と前記許容温度範囲とを比較する。前記皮膚温度が前記許容温度範囲内の場合には、前記血圧測定手順で測定した血圧値と前記皮膚温度とを対応付けて前記記憶手段に記憶することとした。一方、前記皮膚温度が前記許容温度範囲外の場合には、血圧測定の中止をするか又は血圧測定した血圧値を記憶しないこととした。前記血圧測定方法は信頼性のない血圧値を排除することができ、より多くの信頼性のある血圧値を収集することができる。
【００４９】
従って、本願第六の発明に係る血圧測定方法は、血圧測定前に皮膚温度を測定し、前記皮膚温度が前記許容温度範囲内の場合に血圧値を測定するため、記憶容量が有限である前記記憶手段により多くの信頼性のある血圧値をより多く収集することができる。
【００５０】
上記目的を達成するために、本願第七の発明に係る血圧測定プログラムは、血圧測定するとともに血圧測定時の外気温度も測定し、測定した血圧値と外気温度を対応付けて記憶することとした。さらに、測定した外気温度が許容温度範囲外の場合に被検者に通知することとした。
【００５１】
具体的には、本願第七の発明は、血圧計に対し外耳の一部における血圧値の測定を指示する血圧測定ステップと、外気温度計に対し外耳の一部における外気温度の測定を指示する外気温度測定ステップと、前記外気温度測定ステップ後に、前記外気温度測定ステップで測定した外気温度と予め設定した許容温度範囲とを演算回路に比較演算させる比較演算ステップと、前記比較演算ステップ後、前記外気温度が前記許容温度範囲外の場合に前記外気温度が前記許容温度範囲外であることを通知部に文字及び／若しくは記号で表示させ、並びに／又は音声及び／若しくは音で通知させる通知ステップと、前記血圧測定ステップで測定した血圧値と前記外気温度測定ステップで測定した外気温度とを対応付けて記憶手段に記憶させる記憶ステップと、を有する血圧測定プログラムである。
【００５２】
前記血圧測定プログラムは外耳の一部で外気温度測定及び血圧測定をするため、前記外気温度計は常時外気温度を測定することができ、前記血圧計は常時血圧値を測定することができる。また、前記記憶ステップにおいて前記記憶手段は前記血圧値と前記外気温度を対応付けて記憶しているため、被検者は血圧値確認時に測定した血圧値の信頼性があるか否かの判断をすることができる。さらに、信頼性のある血圧値が得られる外気温度の範囲を許容温度範囲として予め前記演算回路に設定しておき、前記外気温度測定ステップで測定した外気温度が前記許容温度範囲外の場合に、前記通知ステップによって被検者に通知することで、被検者は信頼性のある血圧値を取得できていないことを知ることができる。通知された被検者は外気温度が前記許容温度範囲内となる場所で再度血圧測定を行うことで、信頼性のある血圧値を収集することができる。
【００５３】
従って、本願第七の発明に係る血圧測定プログラムによって、常時血圧測定ができるとともに、血圧測定時の外気温度を測定し、前記血圧値と対応付けて記憶し、前記外気温度が前記許容温度範囲外の場合に通知することで、信頼性のある血圧値をより多く収集することができる。
【００５４】
上記目的を達成するために、本願第八の発明に係る血圧測定プログラムは、血圧測定前に外気温度を測定し、測定した外気温度が許容温度範囲内の場合には血圧測定を行い、測定した外気温度が許容温度範囲外の場合には血圧測定の中止をするか又は血圧測定した血圧値を記憶しないこととした。
【００５５】
具体的には、本願第八の発明は、外気温度計に対し外耳の一部における外気温度の測定を指示する外気温度測定ステップと、前記外気温度測定ステップ後に、前記外気温度測定ステップで測定した外気温度と予め設定した許容温度範囲とを演算回路に比較演算させる比較演算ステップと、前記比較演算ステップ後、前記外気温度が前記許容温度範囲内の場合に、血圧計に対し外耳の一部における血圧値の測定を指示する血圧測定ステップと、前記血圧測定ステップで測定した血圧値と前記外気温度測定ステップで測定した外気温度とを対応付けて記憶手段に記憶させる記憶ステップと、前記比較演算ステップ後、前記外気温度が前記許容温度範囲外の場合に、前記血圧計に対し血圧値の測定の中止を指示、又は前記記憶手段に対し前記外気温度と前記血圧値の記憶の中止を指示する中止ステップと、を有する血圧測定プログラムである。
【００５６】
前記血圧測定プログラムは外耳の一部で外気温度測定及び血圧測定をするため、前記外気温度計は常時外気温度を測定することができ、前記血圧計は常時血圧値を測定することができる。さらに、信頼性のある血圧値が得られる外気温度の範囲を許容温度範囲として予め前記演算回路に設定しておき、前記比較演算ステップにおいて前記演算回路は前記外気温度と前記許容温度範囲とを比較する。前記外気温度が前記許容温度範囲内の場合には、前記血圧測定ステップで測定した血圧値と前記外気温度とを対応付けて前記記憶手段に記憶させることとした。一方、前記外気温度が前記許容温度範囲外の場合には、血圧測定の中止をするか又は血圧測定した血圧値を記憶しないこととした。前記血圧測定プログラムは信頼性のない血圧値を排除することができ、より多くの信頼性のある血圧値を収集することができる。
【００５７】
従って、本願第八の発明に係る血圧測定プログラムによって、外気温度を測定し、前記外気温度が前記許容温度範囲内の場合に血圧値を測定するため、記憶容量が有限である前記記憶手段により多くの信頼性のある血圧値をより多く収集することができる。
【００５８】
上記目的を達成するために、本願第九の発明に係る血圧測定プログラムは、血圧測定するとともに血圧測定時の皮膚温度も測定し、測定した血圧値と皮膚温度を対応付けて記憶することとした。さらに、測定した皮膚温度が許容温度範囲外の場合に被検者に通知することとした。
【００５９】
具体的には、本願第九の発明は、血圧計に対し外耳の一部における血圧値の測定を指示する血圧測定ステップと、皮膚温度計に対し外耳又はその周辺の皮膚温度の測定を指示する皮膚温度測定ステップと、前記皮膚温度測定ステップ後に、前記皮膚温度測定ステップで測定した皮膚温度と予め設定した許容温度範囲とを演算回路に比較演算させる比較演算ステップと、前記比較演算ステップ後、前記皮膚温度が前記許容温度範囲外の場合に前記皮膚温度が前記許容温度範囲外であることを通知部に文字及び／若しくは記号で表示させ、並びに／又は音声及び／若しくは音で通知させる通知ステップと、前記血圧測定ステップで測定した血圧値と前記皮膚温度測定ステップで測定した皮膚温度とを対応付けて記憶手段に記憶させる記憶ステップと、を有する血圧測定プログラムである。
【００６０】
前記血圧測定プログラムは外耳及びその周辺で皮膚温度測定及び外耳の一部で血圧測定をするため、前記皮膚温度計は常時皮膚温度を測定することができ、前記血圧計は常時血圧値を測定することができる。また、前記記憶ステップにおいて前記記憶手段は前記血圧値と前記皮膚温度を対応付けて記憶しているため、被検者は血圧値確認時に測定した血圧値の信頼性があるか否かの判断をすることができる。さらに、信頼性のある血圧値が得られる皮膚温度の範囲を許容温度範囲として予め前記演算回路に設定しておき、前記皮膚温度測定ステップで測定した皮膚温度が前記許容温度範囲外の場合に、前記通知ステップによって被検者に通知することで、被検者は信頼性のある血圧値を取得できていないことを知ることができる。通知された被検者は皮膚温度が前記許容温度範囲内となる場所で再度血圧測定を行うことで、信頼性のある血圧値を収集することができる。
【００６１】
従って、本願第九の発明に係る血圧測定プログラムによって、常時血圧測定ができるとともに血圧測定時の皮膚温度を測定し、前記血圧値と対応付けて記憶し、前記皮膚温度が前記許容温度範囲外の場合に通知することで、信頼性のある血圧値をより多く収集することができる。
【００６２】
上記目的を達成するために、本願第十の発明に係る血圧測定プログラムは、血圧測定前に皮膚温度を測定し、測定した皮膚温度が許容温度範囲内の場合には血圧測定を行い、測定した皮膚温度が許容温度温度範囲外の場合には血圧測定の中止をするか又は血圧測定した血圧値を記憶しないこととした。
【００６３】
具体的には、本願第十の発明は、皮膚温度計に対し外耳又はその周辺における皮膚温度の測定を指示する皮膚温度測定ステップと、前記皮膚温度測定ステップ後に、前記皮膚温度測定ステップで測定した皮膚温度と予め設定した許容温度範囲とを演算回路に比較演算させる比較演算ステップと、前記比較演算ステップ後、前記皮膚温度が前記許容温度範囲内の場合に、血圧計に対し外耳の一部における血圧値の測定を指示する血圧測定ステップと、前記血圧測定ステップで測定した血圧値と前記皮膚温度測定ステップで測定した皮膚温度とを対応付けて記憶手段に記憶させる記憶ステップと、前記比較演算ステップ後、前記皮膚温度が前記許容温度範囲外の場合に、前記血圧計に対し血圧値の測定の中止を指示、又は前記記憶手段に対し前記皮膚温度と前記血圧値の記憶の中止を指示する中止ステップと、を有する血圧測定プログラムである。
【００６４】
前記血圧測定プログラムは外耳又はその周辺で皮膚温度測定及び外耳の一部で血圧測定をするため、前記皮膚温度計は常時皮膚温度を測定することができ、前記血圧計は常時血圧値を測定することができる。さらに、信頼性のある血圧値が得られる皮膚温度の範囲を許容温度範囲として予め前記演算回路に設定しておき、前記比較演算ステップにおいて前記演算回路は前記皮膚温度と前記許容温度範囲とを比較する。前記皮膚温度が前記許容温度範囲内の場合に前記血圧測定ステップで測定した血圧値と前記皮膚温度とを対応付けて前記記憶手段に記憶させることとした。一方、前記皮膚温度が前記許容温度範囲外の場合に血圧測定の中止をするか又は血圧測定した血圧値を記憶しないこととした。前記血圧測定プログラムは信頼性のない血圧値を排除することができ、より多くの信頼性のある血圧値を収集することができる。
【００６５】
従って、本願第十の発明に係る血圧測定プログラムによって、皮膚温度を測定し、前記皮膚温度が前記許容温度範囲内の場合に血圧値を測定するため、記憶容量が有限である前記記憶手段により多くの信頼性のある血圧値をより多く収集することができる。
【発明の効果】
【００６６】
本願の発明に係る血圧測定装置、血圧測定方法及び血圧測定プログラムは常時血圧測定ができるとともに血圧測定時の外気温度又は皮膚温度を測定し、前記血圧値と対応付けて記憶することで、信頼性の有無を判断できる血圧値を収集することができる。
【発明を実施するための最良の形態】
【００６７】
添付の図面を参照して本願発明の実施の形態を説明する。以下に説明する実施の形態は本願発明の構成の例であり、本願発明は、以下の実施の形態に制限されるものではない。
【００６８】
（実施の形態１）
本願第一の発明の血圧測定装置は、外耳の一部で血圧値を測定する血圧計と、前記血圧計が血圧測定する際に外気温度を測定する外気温度計と、前記血圧計が測定する血圧値と前記外気温度計が測定する外気温度とを対応付けて記憶する記憶手段と、前記血圧計と前記外気温度計とを外耳の一部に装着する装着部と、を備える。
【００６９】
図１（Ａ）は、本願第一の発明の一の実施形態に係る血圧測定装置１１１の側面を示す概略図である。
【００７０】
血圧測定装置１１１は図１（Ａ）に示すように、外気温度計１１、血圧計１２、記憶手段１３、スイッチ１６、第一のアーム２１、第二のアーム２２、支軸２５、接触部２７及び距離可変機構４０を備える。なお、本願の発明の実施形態に係る血圧測定装置を説明している以下の図においては、関連する表示手段、電源部、信号線、その他の通常の技術により実現できる部分は表示していない。
【００７１】
外気温度計１１は血圧測定装置１１１の周辺の外気温度を測定し、測定した外気温度を電気信号として出力する温度計である。外耳の一部に装着する血圧測定装置内に配置するため、温度センサとして小型で軽量なサーミスタを使用することが好ましい。
【００７２】
血圧計１２は、血圧測定装置１１１が装着された外耳の一部の血流の脈動を検出し、脈波、収縮期血圧値及び拡張期血圧値等の血圧値を測定し、測定した血圧値を電気信号として出力する。図１（Ａ）に示す血圧測定装置１１１の血圧計１２は圧力を印加するカフを含む血圧センサの場合を想定して示している。前記カフの種類は血圧測定部を圧迫できる構造のものであれば特に限定はしないが、気体又は液体の供給により伸縮する構造であることが好ましい。図示しない供給源から前記気体又は液体の供給圧を制御することで、血圧測定の測定部を圧迫する圧力を制御することができる。また、電力で駆動するモーター、ボイスコイル等のアクチュエータを使用しても良い。図示しない電源からの電圧もしくは電流を制御することで血圧測定の測定部を圧迫する圧力を制御することができ、小型のアクチュエータを使用することで血圧測定装置１１１の小型化を図ることができる。血圧計１２による血圧の測定方法については後述する。
【００７３】
記憶手段１３は外気温度計１１が測定した外気温度、血圧計１２が測定した血圧値を対応付けて記憶していく。電源スイッチを切っても記憶したデータが消滅しないフラッシュメモリであることが好ましい。また、記憶手段１３には図示しない外部出力端子があり、外部のコンピュータ等の解析システムに記憶したデータを出力できる構成としてもよい。
【００７４】
スイッチ１６は血圧測定をするときに被検者が押すスイッチである。
【００７５】
図１の血圧測定装置１１１及び図２から図８の血圧測定装置において装着部は第一のアーム２１、第二のアーム２２、支軸２５、接触部２７及び距離可変機構４０から構成される。第一のアーム２１と第二のアーム２２が互いに対向する面の距離を可変する可変機構として、支軸２５と第一のアーム２１の接続部分に距離可変機構４０を備えている。距離可変機構４０は支軸２５と第一のアーム２１の角度を変化させて図１（Ａ）に示す角度αを変化させることにより、第一のアーム２１と第二のアーム２２が互いに対向する面の間隔を調整する機能を有する。
【００７６】
ここで、距離可変機構４０の角度を可変にする機構としては、支軸２５と第一のアーム２１の角度をネジにより調整する機構、あるいはフリクションとネジ固定を併用する機構などのいずれでもよい。
【００７７】
図１（Ａ）において、外気温度計１１は第二のアーム２２の第一のアーム２１と対向する側の反対側に、血圧計１２は第一のアーム２１の第二のアーム２２と対向する側に、記憶手段１３は支軸２５に配置される。また、第二のアーム２２には第一のアーム２１上の血圧計１２に対向する位置に測定部位と接触する接触部２７を備えている。なお、第一のアーム２１に接触部２７を、第二のアーム２２に血圧計１２を備えてもよい。
【００７８】
記憶手段１３は外気温度計１１及び血圧計１２と図示しない信号線で接続される。前記信号線を介し、記憶手段１３に外気温度計１１からは測定した外気温度、血圧計１２からは血圧測定により測定した血圧値が送られる。
【００７９】
図１（Ｂ）に血圧測定装置１１１の装着例を示す。図１（Ｂ）は血圧測定装置１１１を外耳の一部に装着した図であり、血圧測定装置１１１については上面から見た図となる。血圧測定装置１１１は第一のアーム２１の支軸２５と接続されていない一端を外耳道９に挿入し、血圧計１２を外耳の一部、例えば耳珠１の内側に接触させるように装着する。さらに、第二のアーム２２の接触部２７を耳珠１の外側に接触させ、血圧計１２と接触部２７で挟むように装着する。ここで、血圧計１２と接触部２７との間隔は距離可変機構４０により、第一のアーム２１および第二のアーム２２の対向する側の距離を変化させることにより、適切な接触状態に調整することができる。図１（Ｂ）において、第一のアーム２１の一部及び血圧計１２は外耳道９の内側にあるので破線で示している。
【００８０】
外耳の一部に装着された血圧測定装置１１１は、以下のように動作する。被検者がスイッチ１６を押すと、外気温度計１１は外気温度を測定し、測定した外気温度を記憶手段１３へ出力する。外気温度の測定とともに血圧計１２は前記カフにより耳珠１を圧迫し、耳珠１内部の血流を停止する状態にする。その後、前記カフは耳珠１を圧迫する圧力を徐々に減少させる。耳珠１を圧迫する圧力の減少に伴い、耳珠１内の血流が流れ始め、前記カフの圧迫による前記血流の脈動が始まる。血圧計１２は前記血流の脈動を脈波として計測することができる。前記カフが耳珠１を圧迫する圧力がさらに弱くなると、前記血流の脈動が弱くなり血圧計１２は脈動を測定できなくなる。例えば、前記血流の脈動が始まったときの前記カフが耳珠１を圧迫する圧力を収縮期血圧、前記血流の脈動を測定できなくなったときの前記カフが耳珠１を圧迫する圧力を拡張期血圧とすることができる。また、血圧計１２の測定した脈波の周波数を脈拍とすることができる。血圧計１２は拡張期血圧を測定した時点で血圧測定を終了し、測定した血圧値を記憶手段１３に出力する。なお、収縮期血圧及び拡張期血圧は血圧値の名称の一例であり、他の名称を使用することもある。
【００８１】
血圧測定装置１１１は外耳の一部に常時装着し、被検者が定期的又は不定期的にスイッチ１６を押すことで長期的に血圧値と外気温度の測定をすることができる。さらに、血圧測定装置１１１は記憶手段１３に血圧測定時の外気温度と血圧値を対応付けて記憶しているため、例えば、被検者は後に外気温度が高いときに測定した血圧値なのか、又は外気温度が低いときに測定した血圧値なのかを知ることができ、所定の外気温度の範囲外で測定した血圧値を信頼性がないとして診断及び疾患予防方法立案のためのデータから除外することができる。
【００８２】
従って、血圧測定装置１１１は、常時装着して血圧測定ができるとともに血圧測定時の外気温度を測定し、前記血圧値と対応させて記憶することで、信頼性の有無を判断できる血圧値を収集することができる。そのため、正しい診断及び疾患予防方法立案のための信頼性のある血圧値を提供することができる。
【００８３】
本願第一の発明の血圧測定装置は、所定時間間隔毎に前記血圧計に血圧値の測定及び前記外気温度計に外気温度の測定を指示するクロック生成機構をさらに備えてもよい。
【００８４】
図２（Ａ）は、本願第一の発明の他の実施形態に係る血圧測定装置１１２の側面を示す概略図である。図２において、図１で用いた符号と同じ符号は同じ機能及び同じ動作をする。血圧測定装置１１１との違いは、クロック生成機構１９を内蔵していることである。なお、クロック生成機構１９は内蔵されているため、図２（Ａ）では破線で示している。
クロック生成機構１９は、例えばタイマとトリガ発生器から構成される。前記タイマは所定の時間を計測し、前記トリガ発生器に対しトリガを発生させるように信号をだす。前記信号を受けた前記トリガ発生器はトリガを発生させ、クロック生成機構１９から出力する。
【００８５】
クロック生成機構１９は図示しない信号線を介し外気温度計１１及び血圧計１２と接続する。また、図２（Ａ）の血圧測定装置１１２においてクロック生成機構１９は第二のアーム２２の内部に配置されているが、配置する箇所は特には限定されない。
【００８６】
図２（Ｂ）に血圧測定装置１１２の装着例を示す。図２（Ｂ）は血圧測定装置１１２を外耳の一部に装着した図であり、血圧測定装置１１２については上面から見た図となる。血圧測定装置１１２の装着方法は図１で説明した血圧測定方法１１１の装着方法と同じである。
【００８７】
外耳の一部に装着された血圧測定装置１１２は、以下のように動作する。クロック生成機構１９は予め設定された時間間隔で前記トリガを出力する。前記トリガは前記信号線を介し外気温度計１１及び血圧計１２に到達する。前記トリガを受信した外気温度計１１は外気温度を測定し、測定した外気温度を記憶手段１３へ出力する。同様に前記トリガを受信した血圧計１２は血圧測定装置１１１で説明したように動作し、測定した血圧値を記憶手段１３へ出力する。
【００８８】
血圧測定装置１１２は外耳の一部に常時装着し、被検者が血圧測定の時刻を留意しなくても定期的に血圧値と外気温度の測定をすることができる。
【００８９】
なお、血圧測定装置１１２はスイッチ１６も備え、被検者がスイッチ１６を押すことで外気温度及び血圧値を測定してもよい。
【００９０】
従って、血圧測定装置１１２は、常時装着して定期的に血圧測定ができるとともに血圧測定時の外気温度を測定し、前記血圧値と対応させて記憶することで、信頼性の有無を判断できる血圧値を収集することができる。そのため、正しい診断及び疾患予防方法立案のための信頼性のある血圧値を提供することができる。
【００９１】
本願第一の発明に係る血圧測定装置は、前記外気温度と予め設定した許容温度範囲とを比較演算する演算回路と、前記外気温度が前記許容温度範囲外の場合に前記外気温度が前記許容温度範囲外であることを文字及び／若しくは記号で表示する、並びに／又は音声及び／若しくは音で通知する通知部と、をさらに備える。
【００９２】
図３（Ａ）は、本願第一の発明の他の実施形態に係る血圧測定装置１１３の側面を示す概略図である。図３において、図１及び図２で用いた符号と同じ符号は同じ機能及び同じ動作をする。血圧測定装置１１２との違いは通知部３１及び演算回路３２を備えていることである。図３（Ａ）の血圧測定装置１１３において演算回路３２は第二のアーム２２に内蔵されているが、配置する箇所は特には限定されない。
【００９３】
演算回路３２は図示しない信号線を介し外気温度計１１と接続し、外気温度計１１が測定した外気温度の信号を受信する。演算回路３２は許容温度範囲として予め設定された値と外気温度計１１の測定した外気温度の測定値を比較し、前記外気温度が前記許容温度範囲外である場合と前記許容温度範囲内である場合においてそれぞれ異なる信号を出力する回路である。なお、演算回路３２は前記外気温度が前記許容温度範囲外である場合と前記許容温度範囲内である場合のいずれか一方のみ信号を出力してもよい。また、前記許容温度範囲は被検者が設定することも可能である。
【００９４】
通知部３１はスピーカ及び音声発生回路から構成される。なお、前記スピーカ、前記音声発生回路及び信号線は通常の技術により実現できるため図示はしていない。なお、通知部３１は文字又は記号の少なくとも一つを表示する表示画面を有してもよい。
【００９５】
通知部３１は図示しない信号線を介し演算回路３２と接続する。通知部３１は演算回路３２からの信号のうち、前記外気温度が前記許容温度範囲外であることの信号を受信したときに音声又は音の少なくとも一つを発する。また、図３（Ａ）の血圧測定装置１１３において通知部３１は第二のアーム２２の第一のアーム２１と対向する側の反対側に配置されているが、通知部３１の発する音声又は音の少なくとも一つが被検者に聞こえる位置であれば、配置する箇所は特には限定されない。
【００９６】
図３（Ｂ）に血圧測定装置１１３の装着例を示す。図３（Ｂ）は血圧測定装置１１３を外耳の一部に装着した図であり、血圧測定装置１１３については上面から見た図となる。血圧測定装置１１３の装着方法は図１で説明した血圧測定方法１１１の装着方法と同じである。
【００９７】
血圧測定装置１１３には図９のフローチャートが示す本願第七の発明に係る血圧測定プログラムＰ１が搭載される。血圧測定プログラムＰ１は、血圧計１２に対し外耳の一部における血圧値の測定を指示する血圧測定ステップＳ３１１と、外気温度計１１に対し外耳の一部における外気温度の測定を指示する外気温度測定ステップＳ３１２と、外気温度測定ステップＳ３１２後に、外気温度測定ステップＳ３１２で測定した外気温度と予め設定した許容温度範囲とを演算回路３２に比較演算させる比較演算ステップＳ３１３と、比較演算ステップＳ３１３後、前記外気温度が前記許容温度範囲外の場合に前記外気温度が前記許容温度範囲外であることを通知部３１に文字及び／若しくは記号で表示させ、並びに／又は音声及び／若しくは音で通知させる通知ステップＳ３１４と、血圧測定ステップＳ３１１で測定した血圧値と外気温度測定ステップＳ３１２で測定した外気温度とを対応付けて記憶手段１３に記憶させる記憶ステップＳ３１５と、を有する血圧測定プログラムである。
【００９８】
なお、外気温度測定ステップＳ３１２、比較演算ステップＳ３１３及び通知ステップＳ３１４からなるフローを外気温度確認フローＦ３２０とする。
【００９９】
血圧測定装置１１３は血圧測定プログラムＰ１により、本願第三の発明に係る血圧測定方法を実施する。すなわち、外耳の一部において血圧計が血圧値を測定する血圧測定手順と、外耳の一部において外気温度計が外気温度を測定する外気温度測定手順と、前記外気温度測定手順後に、前記外気温度測定手順で測定した外気温度と予め設定した許容温度範囲とを演算回路が比較演算する比較演算手順と、前記比較演算手順後、前記外気温度が前記許容温度範囲外の場合に前記外気温度が前記許容温度範囲外であることを通知部が文字及び／若しくは記号で表示し、並びに／又は音声及び／若しくは音で通知する通知手順と、前記血圧測定手順で測定した血圧値と前記外気温度測定手順で測定した外気温度とを対応付けて記憶手段が記憶する記憶手順と、を有する血圧測定方法を実施する。
【０１００】
具体的に、血圧測定装置１１３は以下のように動作する。クロック生成機構１９がトリガを出力すること又は被検者がスイッチ１６を押すことで血圧測定プログラムＰ１が開始する。血圧測定装置１１３は血圧測定プログラムＰ１により血圧計１２に血圧値を測定するように指示をし、血圧計１２は血圧測定を行う（ステップＳ３１１）。同様に、外気温度計１１は外気温度を測定する（ステップＳ３１２）。
【０１０１】
次いで、演算回路３２は予め設定された信頼性のある血圧値を測定できる外気温度の範囲である許容温度範囲とステップＳ３１２で測定した外気温度を比較する（ステップＳ３１３）。ステップＳ３１３において前記外気温度が前記許容温度範囲内の場合、演算回路３２は測定した前記血圧値と前記外気温度を記憶手段１３に対応付けて記憶させる（ステップＳ３１５）。一方、ステップＳ３１３において前記外気温度が前記許容温度範囲外の場合、演算回路３２は被検者に前記外気温度が前記許容温度範囲外であることを通知部３１に通知させる（ステップＳ３１４）。図３の血圧測定装置１１３においては、通知部３１を通じて音又は音声の少なくとも一つによって被検者に通知する。例えば、前記音声発生回路にて音声を合成し、「外気温度が許容温度範囲内にありません」と前記スピーカから発生させることができる。さらに、文字又は記号の少なくとも一つによって被検者に通知してもよい。
【０１０２】
さらに、ステップＳ３１４において前記外気温度が前記許容温度範囲より高温であること、又は低温であることを被検者に通知してもよい。例えば、前記音声発生回路にて音声を合成し、「外気温度が高すぎます」又は「外気温度が低すぎます」と前記スピーカから発生させることができる。ステップＳ３１４に次いでステップＳ３１５を行い、血圧測定装置１１３は血圧測定プログラムＰ１を終了する。
【０１０３】
図９のフローチャートではステップＳ３１１の後にフローＦ３２０を行っているが、フローＦ３２０を先に行い、ステップＳ３１１を行ってもよい。さらに、ステップＳ３１１とフローＦ３２０を同時に行うこともできる。ステップＳ３１１とフローＦ３２０を同時に行う場合、ステップＳ３１１はフローＦ３２０内のいずれのタイミングで実施してもよい。
【０１０４】
なお、図９のフローチャートではフローＦ３２０の後にステップＳ３１５を行っているが、ステップＳ３１５はステップＳ３１１及びステップＳ３１２を行った後であればいずれのタイミングで実施してもよい。
【０１０５】
従って、血圧測定装置１１３は、常時装着して定期的に血圧測定ができるとともに、前記外気温度と前記血圧値を対応付けて記憶するため、信頼性の有無を判断できる血圧値を収集することができる。さらに前記外気温度が前記許容温度範囲外の場合に、前記外気温度が前記許容温度範囲外であることを被検者に知らせることで、被検者は信頼性のある血圧値を取得できていないことを知ることができるため、被検者は外気温度が前記許容温度範囲内となる場所で再度血圧測定を行うことができる。そのため血圧測定装置１１３はより多くの信頼性のある血圧値を収集でき、正しい診断及び疾患予防方法立案のための信頼性のある血圧値を提供することができる。
【０１０６】
本願第一の発明に係る血圧測定装置は、前記外気温度と予め設定した許容温度範囲とを比較演算する演算回路と、前記外気温度が前記許容温度範囲内の場合に血圧値の測定を前記血圧計に指示し、前記外気温度と前記血圧値の記憶を前記記憶手段に指示する判断部と、をさらに備える。
【０１０７】
図４（Ａ）は、本願第一の発明の他の実施形態に係る血圧測定装置１１４の側面を示す概略図である。図４において、図１、図２及び図３で用いた符号と同じ符号は同じ機能及び同じ動作をする。血圧測定装置１１２との違いは、演算回路３２及び判断部４１を備えていることである。なお、判断部４１は内蔵されているため、図４（Ａ）では破線で示している。また、図４（Ａ）の血圧測定装置１１４において判断部４１は第二のアーム２２に配置されているが、配置する箇所は特には限定されない。
【０１０８】
判断部４１は図示しない信号線を介し演算回路３２及び血圧計１２と接続する。判断部４１は演算回路３２の出力を受信し、血圧測定をするか否かを判断する。すなわち、前記外気温度が前記許容温度範囲内である場合に血圧計１２に対し血圧測定の開始を指示する。
【０１０９】
図４（Ｂ）に血圧測定装置１１４の装着例を示す。図４（Ｂ）は血圧測定装置１１４を外耳の一部に装着した図であり、血圧測定装置１１４については上面から見た図となる。血圧測定装置１１４の装着方法は図１で説明した血圧測定方法１１１の装着方法と同じである。
【０１１０】
血圧測定装置１１４には図１０のフローチャートが示す本願第八の発明に係る血圧測定プログラムＰ２が搭載される。血圧測定プログラムＰ２は、外気温度計１１に対し外耳の一部における外気温度の測定を指示する外気温度測定ステップＳ４１２と、外気温度測定ステップＳ４１２後に、外気温度測定ステップＳ４１２で測定した外気温度と予め設定した許容温度範囲とを演算回路３２に比較演算させる比較演算ステップＳ４１３と、比較演算ステップＳ４１３後、前記外気温度が前記許容温度範囲内の場合に、血圧計１２に対し外耳の一部における血圧値の測定を指示する血圧測定ステップＳ４１１と、血圧測定ステップＳ４１１で測定した血圧値と外気温度測定ステップＳ４１２で測定した外気温度とを対応付けて記憶手段１３に記憶させる記憶ステップＳ４１５と、比較演算ステップＳ４１３後、前記外気温度が前記許容温度範囲外の場合に、血圧計１２に対し血圧値の測定の中止を指示、又は記憶手段１３に対し前記外気温度と前記血圧値の記憶の中止を指示する中止ステップＳ４１６と、を有する血圧測定プログラムである。
【０１１１】
血圧測定装置１１４は血圧測定プログラムＰ２により、本願第四の発明に係る血圧測定方法を実施する。すなわち、外耳の一部において外気温度計が外気温度を測定する外気温度測定手順と、前記外気温度測定手順後に、前記外気温度測定手順で測定した外気温度と予め設定した許容温度範囲とを演算回路が比較演算する比較演算手順と、前記比較演算手順後、前記外気温度が前記許容温度範囲内の場合に、外耳の一部において血圧計が血圧値を測定する血圧測定手順と、前記血圧測定手順で測定した血圧値と前記外気温度測定手順で測定した外気温度とを対応付けて記憶手段が記憶する記憶手順と、前記比較演算手順後、前記外気温度が前記許容温度範囲外の場合に、前記演算回路が前記血圧計に対し血圧値の測定の中止を指示、又は前記記憶手段に対し前記外気温度と前記血圧値の記憶の中止を指示する中止手順と、を有する血圧測定方法を実施する。
【０１１２】
具体的に、血圧測定装置１１４は以下のように動作する。クロック生成機構１９がトリガを出力すること又は被検者がスイッチ１６を押すことで血圧測定プログラムＰ２が開始する。血圧測定装置１１４は血圧測定プログラムＰ２により外気温度計１１に外気温度を測定するように指示をし、外気温度計１１は外気温度を測定する（ステップＳ４１２）。次いで、演算回路３２は予め設定された信頼性のある血圧値を測定できる許容温度範囲とステップＳ４１２で測定した外気温度を比較する（ステップＳ４１３）。ステップＳ４１３において前記外気温度が前記許容温度範囲内の場合、演算回路３２からの信号を受信した判断部４１は血圧計１２に血圧測定をさせ（ステップＳ４１１）、血圧計１２が測定した血圧値と前記外気温度を記憶手段１３に対応付けて記憶させる（ステップＳ４１５）。一方、ステップＳ４１３において前記外気温度が前記許容温度範囲外の場合、演算回路３２からの信号を受信した判断部４１は血圧計１２に対し血圧値の測定の中止、又は記憶手段１３に対し前記血圧値と前記外気温度の記憶の中止を指示する（ステップＳ４１６）。前記中止指示により血圧計１２は血圧測定の開始をしない、又は記憶手段１３は前記血圧値と前記外気温度の記憶をしない。血圧測定装置１１４はステップＳ４１５又はステップＳ４１６の後に血圧測定プログラムＰ２を終了する。
【０１１３】
従って、血圧測定装置１１４は、常時装着して定期的に血圧測定ができるとともに、前記外気温度と前記血圧値を対応付けて記憶するため、信頼性の有無を判断できる血圧値を収集することができる。さらに前記外気温度が前記許容温度範囲外の場合には、血圧測定をしない又は前記血圧値と前記外気温度を記憶しないため、信頼性のない血圧値を排除することができ、記憶容量が有限である前記記憶手段により多くの信頼性のある血圧値を収集することができる。そのため血圧測定装置１１４は正しい診断及び疾患予防方法立案のための信頼性のある血圧値を提供することができる。
【０１１４】
以上のように、本願発明の第一の実施の形態に係る血圧測定装置、血圧測定方法及び血圧測定プログラムは常時血圧測定ができるとともに血圧測定時の外気温度を測定し、前記血圧値と対応付けて記憶することで、信頼性の有無を判断できる血圧値を収集することができる。
【０１１５】
（実施の形態２）
本願第二の発明の血圧測定装置は、外耳の一部で血圧値を測定する血圧計と、前記血圧計が血圧測定する際に外耳又はその周辺の皮膚温度を測定する皮膚温度計と、前記血圧計が測定する血圧値と前記皮膚温度計が測定する皮膚温度とを対応付けて記憶する記憶手段と、前記血圧計と前記皮膚温度計とを外耳の一部に装着する装着部と、を備える。
【０１１６】
図５（Ａ）は、本願第二の発明の一の実施形態に係る血圧測定装置１２１の側面を示す概略図である。
【０１１７】
血圧測定装置１２１は図５（Ａ）に示すように、皮膚温度計５１、血圧計１２、記憶手段１３、スイッチ１６、第一のアーム２１、第二のアーム２２、支軸２５、接触部２７及び距離可変機構４０を備える。図５において、図１で用いた符号と同じ符号は同じ機能及び同じ動作をする。なお、図５および以下の図においては、本願第二の発明の実施形態に係る血圧測定装置に関連する表示手段、電源部、信号線、その他の通常の技術により実現できる部分は表示していない。
【０１１８】
皮膚温度計５１は外耳又はその周辺の皮膚温度を測定し、測定した皮膚温度を電気信号として出力する温度計である。外耳の一部に装着する血圧測定装置内に配置するため、温度センサとして小型で軽量なサーミスタを使用することが好ましい。
【０１１９】
図５（Ａ）において、血圧計１２は第一のアーム２１の第二のアーム２２と対向する側に、記憶手段１３は支軸２５に配置される。また、第二のアーム２２には第一のアーム２１上の血圧計１２に対向する位置に測定部位と接触する接触部２７を備えている。皮膚温度計５１は測定部位と接触させるため接触部２７の表面に配置される。なお、第一のアーム２１に接触部２７を、第二のアーム２２に血圧計１２を備えてもよい。
【０１２０】
図５（Ｂ）に血圧測定装置１２１の装着例を示す。図５（Ｂ）は血圧測定装置１２１を外耳の一部に装着した図であり、血圧測定装置１２１については上面から見た図となる。血圧測定装置１２１の装着方法は図１で説明した血圧測定方法１１１の装着方法と同じである。
【０１２１】
外耳の一部に装着された血圧測定装置１２１は、以下のように動作する。被検者がスイッチ１６を押すと、皮膚温度計５１は外耳又はその周辺の皮膚温度を測定し、測定した前記皮膚温度を記憶手段１３へ出力する。外耳又はその周辺の皮膚温度の測定とともに血圧計１２は血圧測定を行い、測定した血圧値を記憶手段１３に出力する。
【０１２２】
血圧測定装置１２１は外耳の一部に常時装着し、被検者が定期的又は不定期的にスイッチ１６を押すことで長期的に血圧値と皮膚温度の測定をすることができる。さらに、血圧測定装置１２１は記憶手段１３に血圧測定時の皮膚温度と血圧値を対応付けて記憶しているため、例えば、被検者は後に皮膚温度が高いときに測定した血圧値なのか、又は皮膚温度が低いときに測定した血圧値なのかを知ることができ、所定の皮膚温度の範囲外で測定した血圧値を信頼性がないとして診断及び疾患予防方法立案のためのデータから除外することができる。
【０１２３】
従って、血圧測定装置１２１は、常時装着して血圧測定ができるとともに血圧測定時の皮膚温度を測定し、前記血圧値と対応させて記憶することで、信頼性の有無を判断できる血圧値を収集することができる。そのため、正しい診断及び疾患予防方法立案のための信頼性のある血圧値を提供することができる。
【０１２４】
本願第二の発明の血圧測定装置は、所定時間間隔毎に前記血圧計に血圧値の測定及び前記皮膚温度計に皮膚温度の測定を指示するクロック生成機構をさらに備えてもよい。
【０１２５】
図６（Ａ）は、本願第二の発明の他の実施形態に係る血圧測定装置１２２の側面を示す概略図である。図６において、図１及び図５で用いた符号と同じ符号は同じ機能及び同じ動作をする。血圧測定装置１２１との違いは、クロック生成機構１９を内蔵していることである。なお、クロック生成機構１９は内蔵されているため、図６（Ａ）では破線で示している。
【０１２６】
図６（Ｂ）に血圧測定装置１２２の装着例を示す。図６（Ｂ）は血圧測定装置１２２を外耳の一部に装着した図であり、血圧測定装置１２２については上面から見た図となる。血圧測定装置１２２の装着方法は図１で説明した血圧測定方法１１１の装着方法と同じである。
【０１２７】
外耳の一部に装着された血圧測定装置１２２は、以下のように動作する。クロック生成機構１９は予め設定された時間間隔で前記トリガを出力する。前記トリガは前記信号線を介し皮膚温度計５１及び血圧計１２に到達する。前記トリガを受信した皮膚温度計５１は耳珠１の皮膚温度を測定し、測定した皮膚温度を記憶手段１３へ出力する。同様に前記トリガを受信した血圧計１２は血圧測定装置１１１で説明したように動作し、測定した血圧値を記憶手段１３へ出力する。
【０１２８】
血圧測定装置１２２は外耳の一部に常時装着し、被検者が血圧測定の時間を留意しなくても定期的に血圧測定と皮膚温度の測定をすることができる。
【０１２９】
なお、血圧測定装置１２２はスイッチ１６も備え、被検者がスイッチ１６を押すことで皮膚温度及び血圧値を測定してもよい。
【０１３０】
従って、血圧測定装置１２２は、常時装着して定期的に血圧測定ができるとともに血圧測定時の皮膚温度を測定し、前記血圧値と対応させて記憶することで、信頼性の有無を判断できる血圧値を収集することができる。そのため、正しい診断及び疾患予防方法立案のための信頼性のある血圧値を提供することができる。
【０１３１】
本願第二の発明に係る血圧測定装置は、前記皮膚温度と予め設定した許容温度範囲とを比較演算する演算回路と、前記皮膚温度が前記許容温度範囲外の場合に前記皮膚温度が前記許容温度範囲外であることを文字及び／若しくは記号で表示する、並びに／又は音声及び／若しくは音で通知する通知部と、をさらに備える。
【０１３２】
図７（Ａ）は、本願第二の発明の他の実施形態に係る血圧測定装置１２３の側面を示す概略図である。図７において、図１、図２、図５及び図６で用いた符号と同じ符号は同じ機能及び同じ動作をする。血圧測定装置１２２との違いは、通知部３１及び演算回路３２を備えていることである。
【０１３３】
演算回路３２は図示しない信号線を介し皮膚温度計５１と接続し、皮膚温度計５１が測定した皮膚温度の信号を受信する。演算回路３２は許容温度範囲として予め設定された値と皮膚温度計５１の測定した皮膚温度の測定値を比較し、前記皮膚温度が前記許容温度範囲外である場合と前記許容温度範囲内である場合においてそれぞれ異なる信号を出力する回路である。なお、演算回路３２は前記皮膚温度が前記許容温度範囲外である場合と前記許容温度範囲内である場合のいずれか一方のみ信号を出力してもよい。また、前記許容温度範囲は被検者が設定することも可能である。
【０１３４】
図７（Ｂ）に血圧測定装置１２３の装着例を示す。図７（Ｂ）は血圧測定装置１２３を外耳の一部に装着した図であり、血圧測定装置１２３については上面から見た図となる。血圧測定装置１２３の装着方法は図１で説明した血圧測定方法１１１の装着方法と同じである。
【０１３５】
血圧測定装置１２３には図１１のフローチャートが示す本願第九の発明に係る血圧測定プログラムＰ３が搭載される。血圧測定プログラムＰ３は、血圧計１２に対し外耳の一部における血圧値の測定を指示する血圧測定ステップＳ５１１と、皮膚温度計５１に対し外耳又はその周辺の皮膚温度の測定を指示する皮膚温度測定ステップＳ５１２と、皮膚温度測定ステップＳ５１２後に、皮膚温度測定ステップＳ５１２で測定した皮膚温度と予め設定した許容温度範囲とを演算回路３２に比較演算させる比較演算ステップＳ５１３と、比較演算ステップＳ５１３後、前記皮膚温度が前記許容温度範囲外の場合に前記皮膚温度が前記許容温度範囲外であることを通知部３１に文字及び／若しくは記号で表示させ、並びに／又は音声及び／若しくは音で通知させる通知ステップＳ５１４と、血圧測定ステップＳ５１１で測定した血圧値と皮膚温度測定ステップＳ５１２で測定した皮膚温度とを対応付けて記憶手段１３に記憶させる記憶ステップＳ５１５と、を有する血圧測定プログラムである。
【０１３６】
なお、皮膚温度測定ステップＳ５１２、比較演算ステップＳ５１３及び通知ステップＳ５１４からなるフローを皮膚温度確認フローＦ５２０とする。
【０１３７】
血圧測定装置１２３は血圧測定プログラムＰ３により、本願第五の発明に係る血圧測定方法を実施する。すなわち、血圧測定装置１２３は外耳の一部において血圧計が血圧値を測定する血圧測定手順と、皮膚温度計が外耳又はその周辺の皮膚温度を測定する皮膚温度測定手順と、前記皮膚温度測定手順後に、前記皮膚温度測定手順で測定した皮膚温度と予め設定した許容温度範囲とを演算回路が比較演算する比較演算手順と、前記比較演算手順後、前記皮膚温度が前記許容温度範囲外の場合に前記皮膚温度が前記許容温度範囲外であることを通知部が文字及び／若しくは記号で表示し、並びに／又は音声及び／若しくは音で通知する通知手順と、前記血圧測定手順で測定した血圧値と前記皮膚温度測定手順で測定した皮膚温度とを対応付けて記憶手段が記憶する記憶手順と、を有する血圧測定方法を実施する。
【０１３８】
具体的に、血圧測定装置１２３は以下のように動作する。クロック生成機構１９がトリガを出力すること又は被検者がスイッチ１６を押すことで血圧測定プログラムＰ３が開始する。血圧測定装置１２３は血圧測定プログラムＰ３により血圧計１２に血圧値を測定するように指示をし、血圧計１２は血圧測定を行う（ステップＳ５１１）。同様に、皮膚温度計５１は耳珠１の皮膚温度を測定する（ステップＳ５１２）。
【０１３９】
次いで、演算回路３２は予め設定された信頼性のある血圧値を測定できる皮膚温度の範囲である許容温度範囲とステップＳ５１２で測定した耳珠１の皮膚温度を比較する（ステップＳ５１３）。ステップＳ５１３において前記皮膚温度が前記許容温度範囲内の場合、演算回路３２は測定した前記血圧値と前記皮膚温度を記憶手段１３に対応付けて記憶させる（ステップＳ５１５）。一方、ステップＳ５１３において前記皮膚温度が前記許容温度範囲外の場合、演算回路３２は被検者に前記皮膚温度が前記許容温度範囲外であることを通知部３１に通知させる（ステップＳ５１４）。図７の血圧測定装置１２３においては、通知部３１を通じて音又は音声の少なくとも一つによって被検者に通知する。例えば、前記音声発生回路にて音声を合成し、「皮膚温度が許容温度範囲内にありません」と前記スピーカから発生させることができる。さらに、文字又は記号の少なくとも一つによって被検者に通知してもよい。
【０１４０】
さらに、ステップＳ５１４において前記皮膚温度が前記許容温度範囲より高温であること、又は低温であることを被検者に通知してもよい。例えば、前記音声発生回路にて音声を合成し、「皮膚温度が高すぎます」又は「皮膚温度が低すぎます」と前記スピーカから発生させることができる。ステップＳ５１４に次いでステップＳ５１５を行い、血圧測定装置１２３は血圧測定プログラムＰ３を終了する。
【０１４１】
図１１のフローチャートではステップＳ５１１の後にフローＦ５２０を行っているが、フローＦ５２０を先に行い、ステップＳ５１１を行ってもよい。さらに、ステップＳ５１１とフローＦ５２０を同時に行うこともできる。ステップＳ５１１とフローＦ５２０を同時に行う場合、ステップＳ５１１はフローＦ５２０内のいずれのタイミングで実施してもよい。
【０１４２】
なお、図１１のフローチャートではフローＦ５２０の後にステップＳ５１５を行っているが、ステップＳ５１５はステップＳ５１１及びステップＳ５１２を行った後であればいずれのタイミングで実施してもよい。
【０１４３】
従って、血圧測定装置１２３は、常時装着して定期的に血圧測定ができるとともに、前記皮膚温度と前記血圧値を対応付けて記憶するため、信頼性の有無を判断できる血圧値を収集することができる。さらに前記皮膚温度が前記許容温度範囲外の場合に、前記皮膚温度が前記許容温度範囲外であることを被検者に知らせることで、被検者は信頼性のある血圧値を取得できていないことを知ることができるため、被検者は皮膚温度が前記許容温度範囲内となる場所で再度血圧測定を行うことができる。そのため血圧測定装置１２３はより多くの信頼性のある血圧値を収集でき、正しい診断及び疾患予防方法立案のための信頼性のある血圧値を提供することができる。
【０１４４】
本願第二の発明に係る血圧測定装置は、前記皮膚温度と予め設定した許容温度範囲とを比較演算する演算回路と、前記皮膚温度が前記許容温度範囲内の場合に血圧値の測定を前記血圧計に指示し、前記皮膚温度と前記血圧値の記憶を前記記憶手段に指示する判断部と、をさらに備える。
【０１４５】
図８（Ａ）は、本願第二の発明の他の実施形態に係る血圧測定装置１２４の側面を示す概略図である。図８において、図１、図２、図３、図５、図６及び図７で用いた符号と同じ符号は同じ機能及び同じ動作をする。血圧測定装置１２２との違いは、演算回路３２及び判断部４１を備えていることである。なお、判断部４１は内蔵されているため、図８（Ａ）では破線で示している。また、図８（Ａ）の血圧測定装置１２４において判断部４１は第二のアーム２２に配置されているが、配置する箇所は特には限定されない。
【０１４６】
判断部４１は図示しない信号線を介し演算回路３２及び血圧計１２と接続する。判断部４１は演算回路３２の出力を受信し、血圧測定をするか否かを判断する。すなわち、前記皮膚温度が前記許容温度範囲内である場合に血圧計１２に対し血圧測定の開始を指示する。
【０１４７】
図８（Ｂ）に血圧測定装置１２４の装着例を示す。図８（Ｂ）は血圧測定装置１２４を外耳の一部に装着した図であり、血圧測定装置１２４については上面から見た図となる。血圧測定装置１２４の装着方法は図１で説明した血圧測定方法１１１の装着方法と同じである。
【０１４８】
血圧測定装置１２４には図１２のフローチャートが示す本願第十の発明に係る血圧測定プログラムＰ４が搭載される。血圧測定プログラムＰ４は、皮膚温度計５１に対し外耳又はその周辺における皮膚温度の測定を指示する皮膚温度測定ステップＳ６１２と、皮膚温度測定ステップＳ６１２後に、皮膚温度測定ステップＳ６１２で測定した皮膚温度と予め設定した許容温度範囲とを演算回路３２に比較演算させる比較演算ステップＳ６１３と、比較演算ステップＳ６１３後、前記皮膚温度が前記許容温度範囲内の場合に、血圧計１２に対し外耳の一部における血圧値の測定を指示する血圧測定ステップＳ６１１と、血圧測定ステップＳ６１１で測定した血圧値と皮膚温度測定ステップＳ６１２で測定した皮膚温度とを対応付けて記憶手段１３に記憶させる記憶ステップＳ６１５と、比較演算ステップＳ６１３後、前記皮膚温度が前記許容温度範囲外の場合に、血圧計１２に対し血圧値の測定の中止を指示、又は記憶手段１３に対し前記皮膚温度と前記血圧値の記憶の中止を指示する中止ステップＳ６１６と、を有する血圧測定プログラムである。
【０１４９】
血圧測定装置１２４は血圧測定プログラムＰ４により、本願第六の発明に係る血圧測定方法を実施する。すなわち、皮膚温度計が外耳又はその周辺の皮膚温度を測定する皮膚温度測定手順と、前記皮膚温度測定手順後に、前記皮膚温度測定手順で測定した皮膚温度と予め設定した許容温度範囲とを演算回路が比較演算する比較演算手順と、前記比較演算手順後、前記皮膚温度が前記許容温度範囲内の場合に、外耳の一部において血圧計が血圧値を測定する血圧測定手順と、前記血圧測定手順で測定した血圧値と前記皮膚温度測定手順で測定した皮膚温度とを対応付けて記憶手段が記憶する記憶手順と、前記比較演算手順後、前記皮膚温度が前記許容温度範囲外の場合に、前記演算回路が前記血圧計に対し血圧値の測定の中止を指示、又は前記記憶手段に対し前記皮膚温度と前記血圧値の記憶の中止を指示する中止手順と、を有する血圧測定方法を実施する。
【０１５０】
具体的に、血圧測定装置１２４は以下のように動作する。クロック生成機構１９がトリガを出力すること又は被検者がスイッチ１６を押すことで血圧測定プログラムＰ４が開始する。血圧測定装置１２４は血圧測定プログラムＰ４により皮膚温度計５１に皮膚温度を測定するように指示をし、皮膚温度計５１は皮膚温度を測定する（ステップＳ６１２）。次いで、演算回路３２は予め血圧測定装置１２４に設定された信頼性のある血圧値を測定できる皮膚温度の範囲である許容温度範囲とステップＳ６１２で測定した皮膚温度を比較する（ステップＳ６１３）。ステップＳ６１３において前記皮膚温度が前記許容温度範囲内の場合、演算回路３２からの信号を受信した判断部４１は血圧計１２に血圧測定をさせ（ステップＳ６１１）、血圧計１２が測定した血圧値と前記皮膚温度を記憶手段１３に対応付けて記憶させる（ステップＳ６１５）。一方、ステップＳ６１３において前記皮膚温度が前記許容温度範囲外の場合、演算回路３２からの信号を受信した判断部４１は血圧計１２に対し血圧値の測定の中止、又は記憶手段１３に対し前記血圧値と前記皮膚温度の記憶の中止を指示する（ステップＳ６１６）。前記中止指示により血圧計１２は血圧測定の開始をしない、又は記憶手段１３は前記血圧値と前記皮膚温度の記憶をしない。血圧測定装置１２４はステップＳ６１５又はステップＳ６１６の後に血圧測定プログラムＰ４を終了する。
【０１５１】
従って、血圧測定装置１２４は、常時装着して定期的に血圧測定ができるとともに、前記皮膚温度と前記血圧値を対応付けて記憶するため、信頼性の有無を判断できる血圧値を収集することができる。さらに前記皮膚温度が前記許容温度範囲外の場合には、血圧測定をしない又は前記血圧値と前記皮膚温度を記憶しないため、信頼性のない血圧値を排除することができ、記憶容量が有限である前記記憶手段により多くの信頼性のある血圧値を収集することができる。そのため血圧測定装置１２４は正しい診断及び疾患予防方法立案のための信頼性のある血圧値を提供することができる。
【０１５２】
以上のように、本願発明の第二の実施の形態に係る血圧測定装置、血圧測定方法及び血圧測定プログラムは常時血圧測定ができるとともに血圧測定時の皮膚温度を測定し、前記血圧値と対応付けて記憶することで、信頼性の有無を判断できる血圧値を収集することができる。
【産業上の利用可能性】
【０１５３】
本願発明の血圧測定装置は、健康保持や健康診断のための生体情報を検出する健康器具に適用することができる。
【図面の簡単な説明】
【０１５４】
【図１】本願第一の発明に係る実施形態の血圧測定装置の構成を示す図であり、（Ａ）は血圧測定装置１１１の一形態を示した図であり、（Ｂ）は血圧測定装置１１１の装着例を示した図である。
【図２】本願第一の発明に係る実施形態の血圧測定装置の構成を示す図であり、（Ａ）は血圧測定装置１１２の一形態を示した図であり、（Ｂ）は血圧測定装置１１２の装着例を示した図である。
【図３】本願第一の発明に係る実施形態の血圧測定装置の構成を示す図であり、（Ａ）は血圧測定装置１１３の一形態を示した図であり、（Ｂ）は血圧測定装置１１３の装着例を示した図である。
【図４】本願第一の発明に係る実施形態の血圧測定装置の構成を示す図であり、（Ａ）は血圧測定装置１１４の一形態を示した図であり、（Ｂ）は血圧測定装置１１４の装着例を示した図である。
【図５】本願第二の発明に係る実施形態の血圧測定装置の構成を示す図であり、（Ａ）は血圧測定装置１２１の一形態を示した図であり、（Ｂ）は血圧測定装置１２１の装着例を示した図である。
【図６】本願第二の発明に係る実施形態の血圧測定装置の構成を示す図であり、（Ａ）は血圧測定装置１２２の一形態を示した図であり、（Ｂ）は血圧測定装置１２２の装着例を示した図である。
【図７】本願第二の発明に係る実施形態の血圧測定装置の構成を示す図であり、（Ａ）は血圧測定装置１２３の一形態を示した図であり、（Ｂ）は血圧測定装置１２３の装着例を示した図である。
【図８】本願第二の発明に係る実施形態の血圧測定装置の構成を示す図であり、（Ａ）は血圧測定装置１２４の一形態を示した図であり、（Ｂ）は血圧測定装置１２４の装着例を示した図である。
【図９】本願第七の発明に係る実施形態の血圧測定プログラムＰ１のフローチャートを示した図である。
【図１０】本願第八の発明に係る実施形態の血圧測定プログラムＰ２のフローチャートを示した図である。
【図１１】本願第九の発明に係る実施形態の血圧測定プログラムＰ３のフローチャートを示した図である。
【図１２】本願第十の発明に係る実施形態の血圧測定プログラムＰ４のフローチャートを示した図である。
【符号の説明】
【０１５５】
１１１、１１２、１１３、１１４、１２１、１２２、１２３、１２４  血圧測定装置
１  耳珠
９  外耳道
１１  外気温度計
１２  血圧計
１３  記憶手段
１６  スイッチ
１９  クロック生成機構
２１  第一のアーム
２２  第二のアーム
２５  支軸
２７  接触部
３１  通知部
３２  演算回路
４０  距離可変機構
４１  判断部
５１  皮膚温度計
Ｓ３１１、Ｓ４１１、Ｓ５１１、Ｓ６１１  血圧測定ステップ
Ｓ３１２、Ｓ４１２  外気温度測定ステップ
Ｓ３１３、Ｓ４１３、Ｓ５１３、Ｓ６１３  比較演算ステップ
Ｓ３１４、Ｓ５１４  通知ステップ
Ｓ３１５、Ｓ４１５、Ｓ５１５、Ｓ６１５  記憶ステップ
Ｆ３２０  外気温度確認フロー
Ｓ４１６、Ｓ６１６  中止ステップ
Ｓ５１２、Ｓ６１２  皮膚温度測定ステップ
Ｆ５２０  皮膚温度確認フロー
【図１】
2007014572.tif 000003
【図２】
2007014572.tif 000004
【図３】
2007014572.tif 000005
【図４】
2007014572.tif 000006
【図５】
2007014572.tif 000007
【図６】
2007014572.tif 000008
【図７】
2007014572.tif 000009
【図８】
2007014572.tif 000010
【図９】
2007014572.tif 000011
【図１０】
2007014572.tif 000012
【図１１】
2007014572.tif 000013
【図１２】
2007014572.tif 000014